(57)【要約】      （修正有）【課題】複数のレーザーダイオード、検知手段、及び制御手段を有する装置を提供する。【解決手段】  本装置は  通常動作の間、混合光を生成する。検知手段は、レーザーダイオードから出力された光を計測し、制御手段は（１）計測された光をスペクトル基準と比較し、（２）比較結果に応答して、レーザーダイオードの駆動信号を設定する。本発明の別の実施態様において、（１）異なる色の複数のレーザーダイオードを使用して混合光を生成する段階と、（２）レーザーダイオードによって生成された光の計測値をスペクトル基準と自動的に比較する段階と、（３）比較結果に応答して、レーザーダイオードの駆動信号を自動的に設定する段階と、を含む方法が提供される。【選択図】図５
2005340832.tif 000002
【特許請求の範囲】
【請求項１】
異なる色の複数のレーザーダイオードと、
前記レーザーダイオードによって出力された光を計測するべく該レーザーダイオードに対して配置されている複数の光センサと、
前記計測された光をスペクトル基準と比較し、該比較結果に応答して、前記レーザーダイオードの駆動信号を設定するべく、前記レーザーダイオード及び前記複数の光センサに接続されている制御回路と、
を備えている装置。
【請求項２】
前記レーザーダイオード及び光センサが、１対１の対応関係を備えている、請求項１に記載の装置。
【請求項３】
前記光センサの少なくともいくつかは、ダイオードからの所定の波長の光を計測するべく構成されている、請求項１に記載の装置。
【請求項４】
前記光センサの少なくともいくつかは、フィルタ要素と関連付けられており、各フィルタ要素は、その対応する光センサのスペクトル応答を制限している、請求項１に記載の装置。
【請求項５】
照明ターゲットを更に備え、前記レーザーダイオードが、前記照明ターゲットを通して光を投射するべく配置されており、前記光センサの少なくともいくつかは、（ｉ）前記レーザーダイオードによって生成された光と、（ｉｉ）前記照明ターゲットを通して透過した光との組み合わせを計測するべく配置されている、請求項１に記載の装置。
【請求項６】
照明ターゲットを更に備え、前記レーザーダイオードが、前記照明ターゲットを通して光を投射するべく配置されており、前記光センサの少なくともいくつかは、（ｉ）前記レーザーダイオードによって生成された光と、（ｉｉ）前記照明ターゲットから反射された光との組み合わせを計測するべく配置されている、請求項１に記載の装置。
【請求項７】
前記光センサの少なくともいくつかが、フォトダイオードである、請求項１に記載の装置。
【請求項８】
前記光センサの少なくともいくつかは、前記レーザーダイオードの個々のものとともに組立てられたモニタフォトダイオードであり、前記装置は、該モニタフォトダイオードから信号を受信し、これに応答して、対応するレーザーダイオードの光子束を制限するオーバードライブ保護回路を更に備えている、請求項１に記載の装置。
【請求項９】
前記制御回路は、前記オーバードライブ保護回路からフィードバックを受信し、所与のレーザーダイオードに対するオーバードライブ保護がトリガされた際に、前記制御回路は、その他のレーザーダイオードの設定ポイントを変更して、前記オーバードライブ保護が施されたものとその他のレーザーダイオードとのスペクトルコンテンツを全体として維持する、請求項８に記載の装置。
【請求項１０】
前記制御回路は、前記駆動信号をパルス幅変調することにより、少なくとも部分的に、前記レーザーダイオードの駆動信号を設定する、請求項１に記載の装置。
【請求項１１】
前記制御回路は、第１及び第２の非ゼロ値間において前記駆動信号の少なくともいくつかをパルス幅変調する、請求項１０に記載の装置。
【請求項１２】
通常動作において、混合光を生成する複数のレーザーダイオードと、
前記レーザーダイオードによって出力された光を計測する検知手段と、
（ｉ）前記計測された光をスペクトル基準と比較し、（ｉｉ）該比較結果に基づいて、前記レーザーダイオードの駆動信号を設定する、制御手段と、
を備えている装置。
【請求項１３】
照明ターゲットを更に備え、前記レーザーダイオードは、前記照明ターゲットを通して光を投射するべく配置されており、前記検知手段は、（ｉ）前記レーザーダイオードによって生成された光と、（ｉｉ）前記照明ターゲットを通して透過した光との組み合わせを計測するべく配置されている、請求項１２記載の装置。
【請求項１４】
照明ターゲットを更に備え、前記レーザーダイオードは、前記照明ターゲットを通して光を投射するべく配置されており、前記検知手段は、（ｉ）前記レーザーダイオードによって生成された光と、（ｉｉ）前記照明ターゲットから反射された光との組み合わせを計測するべく配置されている、請求項１２記載の装置。
【請求項１５】
前記検知手段が、フォトダイオードを備えている、請求項１２に記載の装置。
【請求項１６】
前記検知手段が、前記レーザーダイオードの個々のものとともに組立てられたモニタフォトダイオードを備え、前記装置は、該モニタフォトダイオードから信号を受信し、これに応答して、対応するレーザーダイオードの光子束を制限するオーバードライブ保護手段を更に備えている、請求項１２に記載の装置。
【請求項１７】
前記制御手段は、前記オーバードライブ保護手段からフィードバックを受信し、所与のレーザーダイオードに対するオーバードライブ保護がトリガされた際に、前記制御手段は、その他のレーザーダイオードの設定ポイントを変更して、前記オーバードライブ保護が施されたものとその他のレーザーダイオードとのスペクトルコンテンツを全体として維持する、請求項１６に記載の装置。
【請求項１８】
前記制御手段が、前記駆動信号をパルス幅変調することにより、少なくとも部分的に、前記レーザーダイオードの駆動信号を設定する、請求項１２に記載の装置。
【請求項１９】
前記制御手段が、第１及び第２の非ゼロ値間において前記駆動信号の少なくともいくつかをパルス幅変調する、請求項１８に記載の装置。
【請求項２０】
異なる色の複数のレーザーダイオードを使用して混合光を生成する段階と、
前記レーザーダイオードによって生成された光の計測値をスペクトル基準と自動的に比較する段階と、
前記比較結果に応答して、前記レーザーダイオードの駆動信号を自動的に設定する段階と、
を含む方法。
【発明の詳細な説明】
【技術分野】
【０００１】
本発明は、一般に、レーザーダイオード光源に関し、特に、レーザーダイオード光源のスペクトルコンテンツの制御に関する。
【背景技術】
【０００２】
異なる色（例：赤色、緑色、及び青色）の複数の発光ダイオード（ＬＥＤ）の光を使用して所定のスペクトルバランスの光源（例：「白色」光源）が既に製造されている。例えば、「Ｍｅｔｈｏｄ  ａｎｄ  Ａｐｐａｒａｔｕｓ  ｆｏｒ  Ｍｅａｓｕｒｉｎｇ  Ｓｐｅｃｔｒａｌ  Ｃｏｎｔｅｎｔ  ｏｆ  ＬＥＤ  Ｌｉｇｈｔ  Ｓｏｕｒｃｅ  ａｎｄ  Ｃｏｎｔｒｏｌ  Ｔｈｅｒｅｏｆ」と題する、Ｎｉｓｈｉｍｕｒａの米国特許第６，４４８，５５０号を参照されたい。
【０００３】
【特許文献１】米国特許第６，４４８，５５０号明細書
【発明の開示】
【０００４】
本発明の一態様は、複数のレーザーダイオード、検知手段、及び制御手段を有する装置において実施される。通常動作において、レーザーダイオードは、混合光を生成する。そして、検知手段は、このレーザーダイオードから出力された光を計測し、制御手段は、（１）この計測された光をスペクトル基準と比較し、（２）この比較結果に応答して、レーザーダイオードの駆動信号を設定する。
本発明の別の態様は、異なる色の複数のレーザーダイオード、複数の光センサ、及び制御回路を有する装置において実施される。複数の光センサは、レーザーダイオードから出力された光を計測するべく、レーザーダイオードに対して配置されている。制御回路は、レーザーダイオードと複数の光センサとの両方に接続されている。そして、制御回路は、計測された光をスペクトル基準と比較した後に、この比較結果に応答して、レーザーダイオードの駆動信号を設定する。
【０００５】
本発明の更に別の態様は、（１）異なる色の複数のレーザーダイオードを使用して混合光を生成する段階と、（２）レーザーダイオードによって生成された光の計測値をスペクトル基準と自動的に比較する段階と、（３）この比較結果に応答して、レーザーダイオードの駆動信号を自動的に設定する段階と、を有する方法として実施される。
【０００６】
又、本発明のその他の実施例についても開示している。
【発明を実施するための最良の形態】
【０００７】
添付の図面には、本発明の例示用の現時点における好適な実施例が示されている。
【０００８】
最近、４００〜７００ナノメートル（ｎｍ）の範囲にわたる波長の光を生成する能力を有する半導体レーザーダイオードが開発されたことにより、レーザーダイオードを光源として使用することが可能になっている。
【０００９】
レーザーダイオードとＬＥＤの相違点の１つは、レーザー光の単色特性にある。即ち、レーザー光の線幅は、通常、２０ｎｍよりも狭く、５ｎｍ未満であることも多い。そして、レーザーダイオードとＬＥＤの更なる相違点は、レーザー光がコヒーレントであることであり、この結果、輝度を上げることができる。即ち、輝度（又は、光度）においては、光を収集する立体角が考慮される。レーザー光は、ビームの広がりが小さいことから、光のエタンデュ（etendue）が相対的に小さい。一方、合焦光学素子を使用することによっても、同様に強い光ビームを生成することは可能であるが、焦点から離れたところでビームが大きく広がるため、このようなビームのエタンデュは大きなものになってしまう。人間の眼は、相対的に小さなエタンデュを具備しているため、大きなエタンデュの合焦光ビームを眼に結合するのは非効率的である。従って、パワーが等しい場合には、人間の眼は、レーザー光を、ＬＥＤ光よりも格段に明るいと知覚するのである。このため、様々な色のレーザーダイオードの出現は、非常に高輝度の照明を得る機会をもたらしている。
【００１０】
ＬＥＤと同様に、レーザーダイオードは、所与の入力電流に応答して、相当に広い範囲の光を生成することができる。例えば、レーザーは、温度に非常に敏感であり、駆動電流が安定している場合にも、その出力パワー（並びに、光子束）は、温度によって大きく変化する。又、レーザーダイオードの波長ピークも、温度によって左右される。又、高出力で動作するレーザーダイオードは、経年劣化する傾向を有しており、その効率は、時間の経過と共に低下する。従って、異なる色のレーザーダイオードから構成された光源は、温度、使用年数、及びその他のファクタの関数として変化するスペクトルコンテンツ（spectral content）を具備している。
【００１１】
多くの場合に、光源は、特定のスペクトルコンテンツを維持することが望ましい。このために、図１及び図２には、これを実行する模範的な装置１００が示されている。
【００１２】
図１及び図２に示されているように、光源１０２は、異なる色（例：赤色（Ｒ）、緑色（Ｇ）、及び青色（Ｂ）レーザーダイオード）のレーザーダイオード１０４、１０６、１０８、１１０、１１２、１１４、１１６、１１８、１２０から構成可能である。通常動作において、これらのレーザーダイオード１０４〜１２０は、混合光を生成する。
【００１３】
検知手段１２２、１２４、１２６、１２８、１３０、１３２、１３４、１３６、１３８は、これらのレーザーダイオード１０４〜１２０から出力される光を計測する。一例として、これらの検知手段は、フォトダイオードなどの複数の光センサ１２２〜１３８から構成可能である。一実施例において、光センサ１２２〜１３８の少なくともいくつかは、類似した色の１つ又は複数のレーザーダイオードから出力される光を検知するべく、レーザーダイオード１０４〜１２０に対して配置されている。即ち、これらの光センサは、ダイオードからの所定の波長の光を計測するべく構成されている。又、別の実施例においては、光センサ１２２〜１３８の少なくともいくつかは、フィルタ要素と関連付けられており、それぞれのフィルタ要素は、その対応する光センサのスペクトル応答を制限している。
【００１４】
尚、図１には、複数のレーザーダイオード１０４〜１２０及び光センサ１２２〜１３８が、共通基板１４０上に取り付けられるものとして示されているが、これは、必ずしもそうである必要はない。一実施例においては、基板１４０を使用して、レーザーダイオード１０４〜１２０、検知手段１２２〜１３８、及び制御手段１４２、１４４、１４６間における相互接続を提供している。この基板１４０上へのデバイスの取り付けの際に、基板１４０を使用し、その上部に取り付けられるデバイスに対して共通端子（陽極又は陰極）を提供可能であり、基板１４０を共通端子として使用することにより、デバイス間に必要な相互接続の数を削減するのが有利である。但し、状況によっては、レーザーダイオード１０４〜１２０を通じて流れる相対的に大きな電流により、光センサ１２２〜１３８によって提供される相対的に小さな電流を計測する能力が妨げられないように、レーザーダイオード１０４〜１２０と光センサ１２２〜１３８との間の接続を分離するのが有利な場合も存在する。
【００１５】
尚、図１及び図２に示されているレーザーダイオード１０４〜１２０と光センサ１２２〜１３８の数及び配列は、模範的なものに過ぎず、実際の光源におけるレーザーダイオード及び光センサの数は、主に、レーザーダイオード１０４〜１２０の実際の光出力と、所与の用途に必要な光出力とによって決定されることになる。
【００１６】
図１及び図２に示されている装置１００は、（１）検知手段１２２〜１３８によって計測された光をスペクトル基準と比較し、（２）この比較結果に応答して、レーザーダイオード１０４〜１２０の駆動信号を設定する制御手段１４２〜１４６を更に有している。これらの制御手段１４２〜１４６は、レーザーダイオード１０４〜１２０と検知手段１２２〜１３８の両方に接続された制御回路から構成可能である。一実施例においては、制御手段１４２〜１４６は、例えば、そのスペクトル基準のプログラムされた設定内容を受信するべく、ファームウェア又はソフトウェアによって更に通信可能である。
【００１７】
ＬＥＤと同様に、レーザーダイオードからの平均光子束は、その駆動電流又はデューティサイクルを変化させることにより、変更可能である。しかしながら、レーザーダイオードは、相対的に狭い範囲の動作電流において最も効率的であるため、レーザーダイオードの駆動電流をパルス幅変調するのが有用である。即ち、駆動信号をパルス幅変調することにより、少なくとも部分的に、レーザーダイオード１０４〜１２０の駆動信号を設定することができる。尚、「ちらつき」を緩和するには、レーザーダイオード１０４〜１２０のいくつか又はすべての駆動信号を「ゼロ」の深さまでパルス幅変調するのではなく、第１及び第２の非ゼロ値間においてパルス幅変調すればよい。
【００１８】
レーザーダイオード１０４〜１２０が、照明ターゲット１４８を通じて光を投射するべく配置されている場合には（例：レーザーダイオード１０４〜１２０が、表示画面用のバックライトとして機能している場合）、検知手段１２２〜１３８は、レーザーダイオード１０４〜１２０によって生成された光と、照明ターゲット１４８を通して透過した光との組み合わせを計測するべく配置可能である。或いは、この代わりに（又は、これに加えて）、検知手段１２２〜１３８は、レーザーダイオード１０４〜１２０によって生成された光と、照明ターゲット１４８から反射された光との組み合わせを計測するべく配置することも可能である。この結果、装置１００は、ターゲット１４８の不均一なアルベド（又は、周辺光と、レーザーダイオード１０４〜１２０によって生成された光との混合）によって発生するスペクトルの変化に応答することができよう。
【００１９】
尚、検知手段１２２〜１３８は、レーザーダイオード１０４〜１２０とは別個のものあってもよいが、大部分のレーザーダイオード１０４〜１２０は、専用のモニタフォトダイオードと共に組立てられていることに留意されたい。このようなフォトダイオードは、通常、オーバードライブ保護手段（図２の制御装置１４２〜１４６の一部）に接続されている。オーバードライブ保護手段は、フォトダイオードから受信した信号に応答して、対応するレーザーダイオードの光子束を制限し、オーバードライブの結果、レーザーダイオードが自己破壊しないようにするものである。装置１００の一実施例においては、検知手段１２２〜１３８は、これらのモニタフォトダイオードによって実施されている。このため、モニタフォトダイオードの出力をオーバードライブ保護手段に供給することに加え、フォトダイオードの出力を制御手段１４２に供給することも可能であろう。従って、レーザーダイオード１０４〜１２０及び光センサ（例：モニタフォトダイオード）は、１対１の対応関係を具備している。
【００２０】
一実施例においては、オーバードライブ保護手段と制御手段１４２は、並行して（但し、独立的に）動作し、それぞれが、レーザーダイオードの駆動信号に対して影響を与えることができる。別の実施例においては、制御手段の一部１５０は、オーバードライブ保護手段１４２〜１４６からフィードバックを受信し、所与のレーザーダイオードのオーバードライブ保護がトリガされた際に、制御手段１５０は、その他のレーザーダイオードの設定ポイントを変更し、そのオーバードライブ保護が施されたものと、その他のレーザーダイオードとのスペクトルコンテンツを全体として維持する。
【００２１】
次に、検知手段１２２〜１３８と制御手段１４２〜１４６の模範的な実施例について、説明する。まず、静的又は動的に、スペクトル基準を制御手段１４２〜１４６に供給する。一例として、このスペクトル基準は、等価な色温度の観点において設定可能である。
【００２２】
一実施例においては、制御手段は、個別の回路１４２〜１４６を有しており、これらのそれぞれが、特定のレーザーダイオードと関連付けられている。各回路１４２〜１４６は、光センサからの信号（例：電流）を受信するべく接続された積分器を有することができる。例えば、制御回路１４６の積分器３１４は、光センサ１３４からフィードバックを受信することができる。積分器３１４は、フォトダイオード電流を、スペクトルのその部分における光の量を表す電圧に変換する。そして、それぞれの積分器の電圧出力は、ウィンドウ比較器に供給される。このウィンドウ比較器の目的は、入力信号をスペクトル基準と比較することにあり、入力信号と基準の差が、指定されたヒステリシス量を上回っている場合に、出力をアサートする。尚、このスペクトル基準は、デジタル／アナログ変換器（ＤＡＣ、図示されてはいない）によって供給可能である。次いで、ゲート処理されたウィンドウ比較器の出力は、デジタル／アナログ変換器を駆動するアップ／ダウンカウンタに供給される。そして、このデジタル／アナログ変換器が、レーザーダイオード１１６用の駆動信号を設定する。
【００２３】
この回路１４６を更に詳しく参照すれば、図示のごとく、フォトダイオード１３４が演算増幅器（オペアンプ）３００に入力を供給しており、この演算増幅器は、コンデンサ３０２を使用して積分器３１４を形成している。この積分器３１４の出力（フォトダイオード１３４上に入射する光子束（λ）の量を表す電圧）は、ウィンドウ比較器からなる比較器３０４、３０６に入力を供給している。そして、この比較器３０４の出力は、積分器３００、３０２の出力がスペクトル基準電圧ＶＲ（例：赤色レーザーダイオードの所望のスペクトルコンテンツ）を下回っている場合に、Ｈｉｇｈ（高レベル）になる。同様に、比較器３０６の出力は、積分器３００、３０２の出力がスペクトル基準電圧ＶＲ＋ΔＲを上回っている場合に、Ｈｉｇｈになる。これらの基準レベルＶＲ及びＶＲ＋ΔＲは、別のデジタル／アナログ変換器（図示されてはいない）によって供給される。比較器３０４及び３０６の出力は、アップ／ダウンカウンタ３０８に供給される。そして、このカウンタ３０８の出力は、デジタル／アナログ変換器（ＤＡＣ）３１０に供給されており、このＤＡＣの出力は、レーザーダイオード１１６の輝度を制御するドライバ３１２に供給されている。尚、ドライバ３１２として電界効果トランジスタ（ＦＥＴ）が示されているが、バイポーラトランジスタも使用可能である。
【００２４】
所望の光子束が、基準ＶＲによって設定された所望のレベルを下回っている場合に、比較器３０４の出力は、Ｈｉｇｈになる。この場合には、カウンタ３０８が、カウントアップし、この結果、ＤＡＣ３１０に供給される値が増大し、ドライバ３１２のゲート電圧が増大して、レーザーダイオード１１６の輝度が増大することになる。
【００２５】
同様に、所望の光子束が、基準ＶＲ＋ΔＲによって設定された所望のレベルを上回っている場合には、比較器３０６の出力がＨｉｇｈになり、この結果、カウンタ３０８がカウントダウンすることになる。そして、この結果、ＤＡＣ３１０に送信される値が減少し、ドライバ３１２のゲート電圧が低下して、レーザーダイオード１１６の輝度が低下することになる。
【００２６】
基準電圧ＶＲとＶＲ＋ΔＲの差により、レーザーダイオード１１６の動作におけるヒステリシスが提供されている。この結果、その出力が、これら２つの基準レベルによって設定されたウィンドウ内にある場合には、調節は施されない。
【００２７】
この計測／積分／比較／駆動信号設定の複数のサイクルにわたって輝度計測及び調節を実行することにより、漸進的な変化が実現する。
【００２８】
尚、カウンタ３０８内に状態情報が保持されることに留意されたい。従って、効率的な開始のために、制御回路は、複数のパワーサイクルにわたって、このカウンタの値を保持することにより、開始レベルの良好な初期近似値として、カウンタをその最後の動作値に戻すことができよう。
【００２９】
図３に示されている制御装置１４６の実施例においては、線形制御を使用してレーザーダイオード１１６の輝度を変化させている。デジタル／アナログ変換器（ＤＡＣ）３１０は、アナログレベルを生成してドライバ３１２に供給し、これにより、レーザーダイオード１１６の輝度を制御している。本質的に、ドライバ３１２は、可変抵抗器として使用されている。このタイプの構成は、ドライバ３１２の両端の電圧降下が熱に変換されるため、非効率的である。スイッチングコンバータを使用してレーザーダイオード１１６を駆動することにより、更に効率的な制御を実現することができる。
【００３０】
尚、スイッチングコンバータについては、当技術分野において周知であり、Ｔｅｘａｓ  Ｉｎｓｔｒｕｍｅｎｔｓ社やＭａｘｉｍ  Ｉｎｔｅｇｒａｔｅｄ  Ｃｉｒｃｕｉｔｓ社などの会社によって製造されている。当技術分野において周知のように、スイッチングコンバータにおいては、パルス幅又はデューティサイクルを変化させてスイッチを制御することにより、非常に高い効率を有する可変出力電圧を生成している。レーザーダイオードは、相対的に高い直列抵抗値を示すため、レーザーダイオードに印加する電圧を調節することにより、電流の安定した制御を実現することができる。
【００３１】
図３の実施例は、レーザーダイオード１１６を駆動するスイッチングコンバータ用のパルス幅を比較器３０４、３０６の出力を使用して制御することにより、スイッチングコンバータを使用するべく適合される。所望のレベルが低過ぎる場合には、対応するパルス幅を増大させることにより、スイッチングコンバータの「オン」時間が増大し、その出力電圧が増大して、対応するレーザーダイオードの電流及び発光出力が増大することになる。尚、スイッチングコンバータ用のパルス幅は、カウンタ３０８の値を使用して決定可能である。
【００３２】
図４は、レーザーダイオード供給電圧（Ｖlaser）がレーザーダイオード１１６に印加される電圧を上回っている場合に使用するステップダウンスイッチングコンバータを示している。尚、その他の形態のスイッチングコンバータによっても、必要に応じて、レーザーダイオード電圧を昇圧することができる。パルス幅変調駆動信号４０２が、ＭＯＳスイッチ４０４のゲートを駆動する。そして、スイッチ４０４がターンオンすると、インダクタ４０６の両端に電圧が印加され、このインダクタを通じて電流が流れる。一方、スイッチ４０４がターンオフすると、キャッチダイオード４０８（これは、ショットキーダイオードであることが好ましい）によって回路が完成し、電流が継続してインダクタ４０６を流れることになる。そして、レーザーダイオード１１６の両端の電圧は、コンデンサ４１０によって平滑される。このレーザーダイオード１１６の両端の電圧は、スイッチ４０４の「オン」時間に比例し、従って、駆動信号４０２のパルス幅に比例している。
【００３３】
図５は、図１に示されているものなどの装置１００やその他の装置などによって実施可能な方法５００を示している。この方法５００は、（１）異なる色の複数のレーザーダイオードを使用して混合光を生成する段階５０２と、（２）このレーザーダイオードによって生成された光の計測値をスペクトル基準と自動的に比較する段階５０４と、（３）この比較結果に応答して、レーザーダイオードの駆動信号を自動的に設定する段階５０６と、を有している。
【００３４】
以上、本発明の例示用の現時点において好適な実施例について詳細に説明したが、本発明の概念は、その他の方法によっても様々に実施及び採用可能であり、且つ、添付の請求項は、従来技術によって制限される場合を除いて、それらの変形を含むべく解釈されることを意図するものであることを理解されたい。
【図面の簡単な説明】
【００３５】
【図１】レーザーダイオード光源のスペクトルコンテンツを維持する模範的な装置におけるレーザーダイオード及び検知手段の正面図である。
【図２】検知手段によって計測された光に応答してレーザーダイオードを制御する制御手段と共に、図１に示されているレーザーダイオード及び検知手段の側面図である。
【図３】図２の制御手段の模範的なブロック図である。
【図４】図３の制御手段によって使用可能な模範的なスイッチングコンバータを示す図である。
【図５】レーザーダイオード光源のスペクトルコンテンツを維持する模範的な方法を示す図である。
【符号の説明】
【００３６】
１０４、１０６、１０８、１１０、１１２、１１４、１１６、１１８、１２０：レーザーダイオード
１２２、１２４、１２６、１２８、１３０、１３２、１３４、１３６、１３８：光センサ
１４２、１４４、１４６：制御回路
１４８：照明ターゲット
【図１】
2005340832.tif 000003
【図２】
2005340832.tif 000004
【図３】
2005340832.tif 000005
【図４】
2005340832.tif 000006
【図５】
2005340832.tif 000007